(57)【要約】【課題】ロータの回転に伴う振動及び騒音が小さいベーンポンプを提供する。【解決手段】径方向に沿ってベーン収容部１９が形成された基体部１５を有すると共に、軸２１を中心にして回転自在に軸支されたロータ１１と、前記ベーン収容部１９内にスライド自在に配設されたベーン１７と、これらのロータ１１及びベーン１７を収容するケーシング４とを備え、前記ロータ１１の軸２１の外周側に、この軸２１の振動を吸収する緩衝部材２９を設けている。【選択図】図１
2009228459.tif 000002
【特許請求の範囲】
【請求項１】
径方向に沿ってベーン収容部が形成された基体部を有すると共に、軸を中心にして回転自在に軸支されたロータと、前記ベーン収容部内にスライド自在に配設されたベーンと、これらのロータ及びベーンを収容するケーシングとを備え、
前記ロータの軸の外周側に、この軸の振動を吸収する緩衝部材を設けたことを特徴とするベーンポンプ。
【請求項２】
前記軸の両端部をケーシングに固定すると共に、この軸の外周に円筒状の軸受を軸に対して回転自在に取り付け、前記軸受の外周側に前記ロータを固定し、これらのロータと軸受との間の少なくとも一部に前記緩衝部材を設けたことを特徴とする請求項１に記載のベーンポンプ。
【請求項３】
前記軸をロータに固定することにより、軸とロータをケーシングに対して回転自在に構成すると共に、前記軸の両端部の外周を支持する円筒状の軸受をそれぞれケーシングに固定し、これらの軸受の少なくともいずれか一方の外周側に前記緩衝部材を設けたことを特徴とする請求項１に記載のベーンポンプ。
【発明の詳細な説明】
【技術分野】
【０００１】
本発明は、モーターにより駆動され、液体を吸入及び吐出するベーンポンプに関する。
【背景技術】
【０００２】
従来から、液体を給排するベーンポンプとして特許文献１に開示されたものが知られている。このベーンポンプは、ケーシングの内部に回転自在なロータを配置し、該ロータにベーン収容部を形成し、該ベーン収容部にベーンをスライド可能に収容したものである。
【特許文献１】特開昭６１−２４４８８９号公報
【発明の開示】
【発明が解決しようとする課題】
【０００３】
しかしながら、前記従来のベーンポンプにおいては、ロータの回転中心となるロータシャフトと、ベアリングと、ロータとが一体に形成されているため、ロータが回転してベーンが出没し、ベーンの先端面がハウジングの内面に当たることによる振動及び騒音が大きくなるという問題があった。
【０００４】
そこで、本発明は、ロータの回転に伴う振動及び騒音が小さいベーンポンプを提供することを目的とする。
【課題を解決するための手段】
【０００５】
請求項１に係るベーンポンプにおいては、径方向に沿ってベーン収容部が形成された基体部を有すると共に、軸を中心にして回転自在に軸支されたロータと、前記ベーン収容部内にスライド自在に配設されたベーンと、これらのロータ及びベーンを収容するケーシングとを備え、前記ロータの軸の外周側に、この軸の振動を吸収する緩衝部材を設けたことを特徴とする。
【０００６】
請求項２に係るベーンポンプにおいては、前記軸の両端部をケーシングに固定すると共に、この軸の外周に円筒状の軸受を軸に対して回転自在に取り付け、前記軸受の外周側に前記ロータを固定し、これらのロータと軸受との間の少なくとも一部に前記緩衝部材を設けたことを特徴とする。
【０００７】
請求項３に係るベーンポンプにおいては、前記軸をロータに固定することにより、軸とロータをケーシングに対して回転自在に構成すると共に、前記軸の両端部の外周を支持する円筒状の軸受をそれぞれケーシングに固定し、これらの軸受の少なくともいずれか一方の外周側に前記緩衝部材を設けたことを特徴とする。
【発明の効果】
【０００８】
請求項１に記載のベーンポンプによれば、ロータの軸の外周側に、この軸の振動を吸収する緩衝部材を設けているため、ロータ回転時のロータの振動を緩衝部材によって効率的に吸収することができる。
【０００９】
請求項２に記載のベーンポンプによれば、ロータと軸受との間の少なくとも一部に前記緩衝部材を設けているため、ロータ回転に伴うベーンの出没量の変化によるロータの振動を、軸受とロータとの間の少なくとも一部に配設した緩衝部材によって吸収する。これによって、ロータ回転による振動及び騒音を大幅に低減することができる。
【００１０】
請求項３に記載のベーンポンプによれば、軸の両端部の外周側に配設された軸受の少なくともいずれか一方の外周側に緩衝部材を設けているため、ロータ回転による振動及び騒音を大幅に低減することができる。
【発明を実施するための最良の形態】
【００１１】
以下に、本発明の実施形態について図面を用いて説明する。
【００１２】
［第１の実施形態］
図１は、本発明の第１実施形態によるベーンポンプの縦断面における断面図である。
【００１３】
このベーンポンプ１には、上側に配設された第１のケーシング３と下側に配設された第２のケーシング５とが配設されており、第２のケーシング５の底部は、基板カバー７によって封鎖されている。また、第１のケーシング３と第２のケーシング５との間には、両者の外周部分をシールするＯリング９が配設されている。
【００１４】
第２のケーシング５を構成する分離板３１と基板カバー７との間には、ステータ１３が収納配置されており、分離板３１と第１のケーシング３との間に形成された収容凹部には、ロータ１１が回転自在に軸支されている。
【００１５】
第１のケーシング３の底面側の中央部には、取付穴２３が穿設され、分離板３１の上面側の中央部には、取付穴２７が穿設されている。そして、これらの取付穴２７，３３には、軸２１の上端部及び下端部がそれぞれ嵌合されて固定されている。
【００１６】
また、軸２１の外周側には、円筒状の軸受２５が軸２１に対して回転自在に取り付けられている。この軸受２５は、上部と下部が軸受板３３，３３によって抜止加工され、軸受２５の外周側に円筒状の緩衝部材２９及びロータ１１が固定されている。具体的には、ロータ１１の中央部は、下方に凹んだ凹部１１ａが形成されており、該凹部１１ａに緩衝部材２９が嵌合されている。この緩衝部材２９は、硬度が高い弾性体、例えば硬質ゴム等が好ましい。また、ロータ１１の外周部には、下方に垂設された着磁部３５が周方向に沿って延設されており、この着磁部３５が、分離板３１を介してステータ１３に対向配置されている。
【００１７】
さらに、ロータ１１の上部には、円盤状の基体部１５が一体に形成されており、該基体部１５に径方向に沿ってベーン収容部１９が形成され、該ベーン収容部１９内にベーン１７がスライド可能に配設されている。
【００１８】
前記構成を有するベーンポンプ１によれば、軸２１の両端部である上端部及び下端部が第１のケーシング３及び第２のケーシング５に固定され、軸受２５とロータ１１との間に緩衝部材２９が配設されている。このため、ロータ１１が回転してベーン１７が出没することによってロータ１１が振動する場合でも、この振動を緩衝部材２９によって効率的に吸収することができ、騒音を低減させることができる。
【００１９】
［第２の実施形態］
次いで、本発明の第２実施形態について説明するが、前記第１実施形態に係るベーンポンプ１と同一構造については同一符号を付して説明を省略する。
【００２０】
本実施形態に係るベーンポンプ３７においては、軸２１とロータ１１とが固定され、これらの軸２１及びロータ１１が一体になって回転する。
【００２１】
第１のケーシング３の底面側の中央部には、凹部３ａが形成されており、該凹部３ａに緩衝部材２９と軸受２５とが固定されており、第２のケーシング５の上面の中央部には、軸受２６が固定されている。これらの緩衝部材２９と軸受２５，２６とは、第１のケーシング３と第２のケーシング５とにそれぞれ固定されている。従って、ロータ１１が回転するときは、軸２１が軸受２５，２６に対して回転する。
【００２２】
前記構成を有するベーンポンプ３７は、軸２１の上端部を支持する軸受２５の外周側に緩衝部材２９が配設されているため、ロータ１１の回転に伴って、特に軸２１の上端部が振動する場合に、この振動を効率的に吸収して騒音を低減させることができる。
【００２３】
［第３の実施形態］
次いで、第３実施形態によるベーンポンプ３９について説明する。ただし、前述した第１実施形態及び第２実施形態と同一構造については同一符号を付して、その説明を省略する。
【００２４】
本実施形態においては、第２実施形態に係るベーンポンプ３７に対して、軸２１の下端部を支持する軸受２６の外周側に緩衝部材２９を配設している。
【００２５】
即ち、第１のケーシング３の底面側の中央部には、軸受２５が固定されている。また、第２のケーシング５の上面の中央部には、凹部５ａが形成され、該凹部５ａの内部に円筒状の緩衝部材２９が嵌合され、該緩衝部材２９の内周側には軸受２６が嵌合されている。
【００２６】
前記構成を有するベーンポンプ３９によれば、軸２１の下端部を支持する軸受２６の外周側に緩衝部材２９が配設されているため、ロータ１１の回転に伴って、特に軸２１の下端部が振動する場合に、この振動を効率的に吸収して騒音を低減させることができる。
【００２７】
［第４の実施形態］
次いで、第４実施形態によるベーンポンプ４１について説明する。ただし、前述した第１〜第３実施形態と同一構造については同一符号を付して、その説明を省略する。
【００２８】
本実施形態においては、第２実施形態に係るベーンポンプ３７に対して、軸２１の上端部及び下端部の双方を支持する軸受２５，２６の外周側に緩衝部材２９，３０を配設している。
【００２９】
即ち、第１のケーシング３の底面側の中央部には、凹部３ａが形成され、該凹部３ａの内部に円筒状の緩衝部材２９と軸受２５が固定されている。また、第２のケーシング５の上面の中央部には、凹部５ａが形成され、該凹部５ａの内部に円筒状の緩衝部材３０が嵌合され、該緩衝部材３０の内周側には軸受２６が嵌合されている。
【００３０】
前記構成を有するベーンポンプ４１によれば、軸２１の上端部及び下端部を支持する軸受２５，２６の外周側に緩衝部材２９，３０が配設されているため、ロータ１１の回転に伴って、軸２１の上端部と下端部の双方が振動する場合に、この振動を効率的に吸収して騒音を低減させることができる。
【図面の簡単な説明】
【００３１】
【図１】本発明の第１実施形態によるベーンポンプの縦断面における断面図である。
【図２】本発明の第２実施形態によるベーンポンプの縦断面における断面図である。
【図３】本発明の第３実施形態によるベーンポンプの縦断面における断面図である。
【図４】本発明の第４実施形態によるベーンポンプの縦断面における断面図である。
【符号の説明】
【００３２】
１，３７，３９，４１…ベーンポンプ
３…第１のケーシング（ケーシング）
３ａ…凹部
４…ケーシング
５…第２のケーシング（ケーシング）
５ａ…凹部
７…基板カバー
９…Ｏリング
１１…ロータ
１１ａ…凹部
１３…ステータ
１５…基体部
１７…ベーン
１９…ベーン収容部
２１…軸
２５，２６…軸受
２７，３３…取付穴
２９，３０…緩衝部材
３１…分離板
３３，３３…軸受板
３５…着磁部
【図１】
2009228459.tif 000003
【図２】
2009228459.tif 000004
【図３】
2009228459.tif 000005
【図４】
2009228459.tif 000006